(57)【特許請求の範囲】
【請求項１】
回転ヘッドを転動させてローリングマッサージを行うことができる健康医療用器具であって、前記回転ヘッドに電極が形成されており、前記回転ヘッドが皮膚に接触する際に電圧を前記電極から前記皮膚に印加することができる様に構成され、前記電圧が、前記回転ヘッドに固定された太陽電池によって生じ、前記回転ヘッドの転動時に前記太陽電池の出力が変動すべく構成されていることを特徴とする健康医療用器具
【請求項２】
前記太陽電池が、球状であり、前記回転ヘッドの表層近くに固定され、複数個が連結されていることを特徴とする請求項1に記載の健康医療用器具
【発明の詳細な説明】
【技術分野】
【０００１】
本発明は、健康医療用や美容用に供するべく、人体や動物の皮膚上を転がしてローリングマッサージが行え、かつ身体に変動する微弱電流を導通させ、皮膚の損傷の改善や身体の治癒に寄与する健康医療用器具に関するものである。
【背景技術】
【０００２】
近年、高齢者の増加に伴い、健康医療や美容に関する社会的な関心は非常に高くなってきている。特に日本の繁栄を支えてきた団塊の世代の退職、高齢化と共に、その世代を中心に元気で健康であり、かつ美しく老いて行きたいという要求が強くあり、今後益々健康医療や美容に対する関心は高まって来ると考えられる。
【０００３】
特に、社会生活を送る上で重要な要素である若さや美しさを演出する美容や美顔に関しては、様々な器具や器機が発明、考案されている。回転するローラを用いて顔や身体を転がして美顔、美容に供しようとするものもその一つであり、ローラを回転させて顔や身体のマッサージを行い、リンパ液の循環や血行を促進することによって、潤った肌を作り出す効果や、体脂肪の燃焼や脂質を取り除き、痩身のボディーの形成する等の効果があるとされている。
【０００４】
このローラタイプの美顔器は、単に皮膚上を転がして、転がる効果のみで美顔や美肌の効果を得ようとするエネルギー源のないパッシブタイプのものと、ＡＣ電源や電池等をエネルギー源として用い、単純に手動で転がる効果のみより、電動もしくは電磁気を利用してより高い効果を実現しようとするアクティブタイプものがある。
【０００５】
特許文献１はパッシブタイプの典型的な例であり、ローラの回転時に、ローラの外周に配した複数枚のプレートで身体に回転打撃を与え、皮膚下に溜まった酸化脂質を取り除き、痩身の身体を実現することを唱っている。
【０００６】
この打撃効果よりも、高い効果を実現する為に、皮膚に能動的に振動を与えるアクティブタイプのものも開示されている。つまり、特許文献２では回転可能に支持されたローラとローラ内部に設けられた振動発生装置であるモータによって、充電式の電池から供給される電力を用いることでローラに振動を発生させる。そして、振動するローラによって首をローリングすることで、首がマッサージされ、血行が促進されるとともに首の皮膚に刺激が与えられるので、しわやたるみが改善されるという効果を唱っている。
【０００７】
また、特許文献３は、電気の供給源が明確に書かれていないが、パワースイッチを入力してイオントフレーゼ回路とマイクロカレント回路を切り替えて動作させるとしており、回路を動作させる電池もしくはＡＣ電源からの電気エネルギーを用いたアクティブタイプの例である。特許文献３では皮膚に接触可能な一対のローラと美容器具本体に揺動可能に取り付けられたローラアームを持ち、イオントフレーゼ回路からはイオンの導入を行い、マイクロカレント回路からは微少な交流電流を流すことによって、皮膚細胞の活性化を促進し、肌のはりや艶を増すという効果を唱っている。
【０００８】
アクティブタイプの美容や美顔器は、単なるパッシブのものと比較して、エネルギーを体内に導入している分だけ効果が高いと考えられるが、どうしてもそのためにはエネルギーを供給する為の電池や蓄電装置もしくはＡＣ電源を用いる必要があり、また、特定の機能を実現するための電子回路も用いる必要があることから、器機が複雑になり、故障しやすくなるという問題があった。
【０００９】
また、アクティブタイプのものは、部品点数が多くなっているだけ器機のトラブルも多く、製品寿命が短い割には値段が高くなるという課題もあった。また、アクティブタイプのものは、既に述べた様に、内部に電池や電子回路を有しているため、あらゆる状態での使用を考えようとすると、内部に水が入ることを避けなくてはならず、温度変化時の回路特性の変化も考慮する必要があり、利用しうる材料や半導体部品の制約も大きい。
【００１０】
ここで、本発明の背景技術である微少電流による人体への作用や治癒原理について若干説明を行う。この微少電流（マイクロカレント）療法は、本発明において利用している基本技術であり、痛みの癒しや骨折等の治療にも用いられるばかりでなく美容や美顔にも使用され著しい効果を上げている。近年、この微少電流による治療例として、有名なサッカー選手が骨折治療にこの微少電流治療を用い、短期間で治癒に至った実績が報告されている。また、その他にも多くの臨床報告がされており、鎮痛や治癒に非常に有効な方法として、近年注目を浴びるに至っている。非特許文献１には、この微少電流治療が副作用なく、痛み等の治癒に有効であることについての解説が述べられている。
【００１１】
しかしながら、従来この様な治療を行う装置は、非常に高価であり、特定の医療機関で用いられても、一般に用いられることはあまりなかった。これは、主としてこの様な装置を作製するためには、回路や電源等多くの部品と、電子回路の高い技術が必要であったためである。また、通常皮膚に微弱電流を導入する為に、静止した2つの端子を用いていたため、あまり広い範囲の損傷に対応できないという問題もあった。
【００１２】
ローリングを行いつつ微弱電流を導入する方法は特許文献３等にも見られるが、従来のこの様な外部電源と電子回路を用いた方法では、装置構成が複雑になるのみでなく、回転部と微弱電流の発生源が別々に構成されいるので、電流を回転部に導通する必要があり、回転部の水分等による故障、電流もれなど多くの問題があった。
【特許文献１】特開平６−１９００１４
【特許文献２】実開平５−８４３２８
【特許文献３】特開２００３−５２８４１
【非特許文献１】Ｊｏｕｒｎａｌ ｏｆ Ａｄｖａｎｃｅｍｅｎｔｉｎ Ｍｅｄｉｃｉｎｅ：Ｖｏｌ．８， Ｎｏ．２，１９９５，ｐ１０７〜ｐ１２０： "Ｔｈｅ  Ｂａｓｉｓ  ｆｏｒ  Ｍｉｃｒｏｃｕｒｒｅｎｔ  Ｅｌｅｔｒｉｃａｌ  Ｔｈｅｒａｐｙ  ｉｎ  Ｃｏｎｖｅｎｔｉｏｎａｌ  Ｍｅｄｉｃａｌ  Ｐｒａｃｔｉｃｅ”
【発明の開示】
【発明が解決しようとする課題】
【００１３】
本発明は、上記の様な状況に鑑みてなされたものであり、従来のアクティブタイプの美容や美顔器のように、電源や電池の様なエネルギー源を特別に用意することなく、自己の器具内部に電気エネルギーを生み出す機構を有し、単純な構成で、起電力を発生させ、かつ変動させた電気エネルギーを身体の比較的広い場所に与える方法を提案するものであり、顔や皮膚をローラによってマッサージすることに加えて、微弱な変動する電流を体内に導入させることで、リンパ液の循環を促進し、肌に潤いを与え、且つ細胞レベルでの損傷や老化をも改善しようとするものである。
【課題を解決するための手段】
【００１４】
上記の様な目的を達成するために、本発明の健康医療用器具は、ローリングマッサージを行うことのできる回転ヘッドに電極を形成すると共に、回転ヘッドに電圧が生じる様にし、回転ヘッドを身体、特に皮膚上を転動もしくは回転させた際、もしくは光の変化等による周囲環境の変化によって、回転ヘッドに設けた電極に電圧変動が生じるようにし、その電極から皮膚に変動する電圧が伝わる様にしたものである。
【００１５】
また、電圧を生じさせる機構は回転ヘッドの回転による電磁起電力、または外部から与えられる光の起電力によっており、電磁起電力は回転式の発電機（もしくはモータ）によって得られ、光起電力は太陽電池によって得られる。
【００１６】
発電機を用いる場合、発電機は回転ヘッド内に一体化して固定され、発電機の軸は本発明の健康医療用器具を手で保持する部分である柄に固定される。発電機は回転ヘッドと共に回転して、起電力を生じるがこの電磁起電力は回転ヘッドに形成された電極から皮膚に伝えられる。
【００１７】
起電力が光起電力である場合は、電圧は太陽電池から供給されるが、太陽電池は回転ヘッドに固定されており、回転ヘッドが転動もしくは回転すると、太陽電池に入射する光量が変化し起電力が変化する。また、回転ヘッドを静止状態に保っておいても、周囲の外光の変化することによって太陽電池の起電力が変化する。この太陽電池で発生した直流電圧もしくは、変動電圧は回転ヘッドに配置された電極から皮膚に伝えられる。
【００１８】
太陽電池は通常の板状のものでも良いが、美観や高い電圧を得るべく球状のものを用い、回転ヘッドの表層近くに固定され、複数個を連結して構成する。
【発明の効果】
【００１９】
本発明の健康医療用器具は、ローリングマッサージを行うことのできる回転ヘッドに設けた電極から、人間自らの動作もしくは自然エネルギーによって、複雑な電子回路を用いず、微弱な変動する電圧を発生させ、その電圧を肌に印加する様にしたものであり、顔や皮膚をローラによってマッサージすることに加えて、微弱な直流や変動電流を体内に導入させることで、リンパ液の循環を促進し、肌に潤いを与え、且つ細胞レベルでの損傷や老化をも改善することができる。
【００２０】
本発明では特に、変動する電圧を回転ローラの回転による電磁起電力もしくは太陽電池による光起電力によって得ており、エネルギーを外部から身体に導入する治癒効果の高いアクティブな方法であるにも関わらず、別途、電気エネルギー源を必要としないシンプルな構造を実現している。
【００２１】
そのため、従来の様に電池や蓄電装置もしくはＡＣ電源を必要とせず、器具が単純な分だけ、寿命が長く、故障が少なく、且つ製造コストも安くでき、健康医療、美容に顕著な効果を発揮する健康医療用器具を実現することができるのである。
【発明を実施するための最良の形態】
【００２２】
本発明は、回転ヘッドに設けた電極から、複雑な構造や電子回路を用いず、自ら発電した微弱な電圧を変動させて肌に伝えることができる構成を有し、顔や身体をローリングマッサージすることに加えて、微弱な直流や変動電流を体内に導入させるようにしたものであり、リンパ液の循環を促進し、肌に潤いを与え、且つ細胞レベルでの損傷や老化をも改善することができるものである。以下に具体的な構成を上げて、実施例にて発明を開示する。
【実施例１】
【００２３】
図１は、本発明の健康医療用器具の第１番目の実施例であり、（ａ）は外観側面図、（ｂ）は（ａ）のＡＡ断面図である。図１において、回転ローラ１０１は基体が透明な樹脂によって形成されており、メタルブッシュ１０５、上リング電極１０２，中リング電極１０３、下リング電極１０４は基体の樹脂と一体化形成されている。回転ローラ１０１に固定されたメタルブッシュ１０５内には、柄１０９と一体化された軸１０６が挿入されており、回転ローラ１０１に回転力を与えると、軸１０６を中心に容易に回転ローラ１０１が回転する。
【００２４】
この回転ローラ１０１の上リング電極１０２、中リング電極１０３，下リング電極１０４は、殺菌性と通電性を目的として、銀材料を用いて樹脂に固定されており、上リング電極１０２と中リング電極１０３の間および、中リング電極１０３と下リング電極１０４の間には外径が１ｍｍ程度の球状の太陽電池１０７がそれぞれリード線１０８によって５個直列に接続されて、上下３列づつ計６列配置されている。
【００２５】
この直列に５個接続された太陽電池１０７は光が照射されることによって約２．５Ｖの電圧を出力する。このため、上リング電極１０２と中リング電極１０３間に２．５Ｖ、中リング電極１０３と下リング電極１０４の間には約２．５Ｖがそれぞれ発生し、上リング電極１０２と下リング電極１０４間では合計５Ｖ程度の電圧が発生する。但し、本実施例では太陽電池１０７を各リング電極間で直線上に５個配置したが、より電圧を高くしたい場合は、個数を増やせば良いし、逆に低くしたい場合は、個数を減らせば良い。また、電流量を変えるには、列数を増減させれば良いことは言うまでもない。
【００２６】
この直線上に配置した太陽電池１０７は、図１の（ｂ）のＡＡ断面図に示したように、円周上の偏った位置に配置されている。それ故、この回転ローラ１０１を皮膚上で前後に転動させた場合、それぞれのリング電極１０２，１０３，１０４に印加される電圧は回転ローラ１０１の回転位置によって変動することになる。つまり、太陽電池１０７が皮膚に接して光があたりにくくなると、太陽電池１０７のキャリアが減少するため内部抵抗が急激に増加し、皮膚に電流が流れなくなる。また逆に、回転ローラ１０１の回転によって、太陽電池１０７が照明光に対向する様になれば、太陽電池１０７が光を十分に吸収するようになり、太陽電池１０７の内部でキャリアが増加するので内部抵抗が減少し、より多くの電流を皮膚に流すことができる様になる。
【００２７】
つまり、回転ローラ１０１を皮膚上で転動させると、その転動状態に応じて、電流が変動しつつ身体に流れるのである。回転ローラ１０１の転動は柄１０９を保持する手の動作によって行われるが、手の動作はそれ程早くない為、電圧の変動速度は０．５Ｈｚから幾ら早く回転させても１００Ｈｚ以下になると思われる。
【００２８】
また、リング電極間で流れる電流に関しては、人体の抵抗と電圧、太陽電池のキャリア密度、言い換えれば内部抵抗を考慮する必要があるが、人体は０．９％の食塩水と同等の電解質であり、細胞内外で抵抗値は約１Ωｍ程度であるが、皮膚や脂肪は数１０Ωｍから数１００Ωｍの抵抗を持っていると言われている。そのため通常テスターなどで人体抵抗（皮膚抵抗）を測ると、皮膚の多発汗時と乾燥状態で数１０ｋΩから数ＭΩに変化する。
【００２９】
それ故、５Ｖの電圧を皮膚に与えた場合、流れる電流は数μＡから数１００μＡが流れることになる。本実施例で用いた太陽電池は、リング電極間で無負荷時に、蛍光灯下で３００μＡ程度、太陽下ではその６倍程度の電流を流す能力を有するものであり、身体に流れる電流値は回転ローラ１０１の転動によって、数μＡから数１００μＡの間になる。ただ、この電流値は５個直列に並んだ太陽電池１０７の列数をリング電極間で増減させることによって、自由に調整が可能である。
【００３０】
本発明による作用は、背景にて引用した非特許文献１にも詳しく解説されているが、数μＡから数１００μＡの電流を０．５Ｈｚから数１０Ｈｚ程度のパルスで人体に与えることにより、痛みの緩和や損傷等の治癒に非常に有効な効果を発揮するという近年の多くの臨床例と実験による研究成果に基づいている。また、その他の文献によるとこの方法を用いることで、頭と首の癌患者の耐え難い痛みを癒すことが可能になったという報告もされている。
【００３１】
この基本的な原理は微弱電流によるＡＴＰつまりアデノシン三リン酸の増加にある。１９８２年にＮ．Ｃｈｅｎｇらはヌードマウスの肌を利用し、μＡオーダの微弱電流を流すことによって、ＡＴＰが増加し、プロテインが作り出されることを実験的に確かめた。このＡＴＰは生体のエネルギー通貨とも呼ばれ、肉体における全ての生体活動に関わるエネルギーの源である。即ち、身体の損傷を癒し、修復のためのエネルギーと材料をまかなうのがこのＡＴＰであるといえる。そして、そのＡＴＰの製造を促進するのがマイクロアンペア域の微弱電流である。
【００３２】
このマイクロアンペア域の微弱電流を、人間の皮膚、特に外部に露出した顔や手に対して処方すると、紫外線に晒され、損傷を受けた肌を細胞レベルで修復できる。つまり、長い年月にわたって紫外線に晒され続けた肌は、ＡＴＰの供給と需要のバランスが崩れ、ＡＴＰ消費過多になり修復が追いつかず、結果的にたるみや、しみ、肌荒れ、しわ等多くの問題を引き起こしている。しかし、マイクロアンペア域の微弱電流を適度な周波数で通電し、ＡＴＰが十分に供給され、皮膚細胞の修復が十分に行われると、肌は、若々しくみずみずしく蘇生するのである。
【００３３】
本発明は、この様なＡＴＰの供給を簡単に行うことができる美容、美顔を含む医療健康用器具であり、従来の様に、外部電源や電子回路を必要とせず、自己内部で発電を行い、所定の電流と電流変動が得られるため、本発明を用いれば、非常に長い寿命をもつ安価で簡単な器具により、容易に肌が若返って、みずみずしくなり、しわ、肌荒れも改善するという効果がある。
【００３４】
また損傷部位の治癒という観点から、本発明の回転ヘッド１０１を怪我等による損傷部位近傍もしくはその上部で、回転ローラ１０１を転がすことによって、非常に早く治癒させることができるという効果もある。特に本実施例では、各リング電極１０２，１０３，１０４に銀電極を用いているため、電流と共に銀イオンが傷に浸透し、殺菌や除菌を行うという効果を生む。また文献によると、この微弱電流は、軟骨を作り出す効果もあり、骨粗鬆症で苦しむ患者の患部近傍の皮膚表面を回転ローラ１０１を転がすことによって、軟骨を再生し、苦痛を和らげるという効果も期待できるのではないかと考えられる。
【００３５】
本実施例では、数μＡから数１００μＡの電流と０．５Ｈｚから数１０Ｈｚの電流変動を生み出す為に、球状の太陽電池１０７を偏って配置しているところに特徴がある。回転ローラ１０１を転動させることによって、太陽電池１０７が皮膚側に来ると、太陽電池１０７に光が当たりにくくなるため、太陽電池１０７内部のキャリア発生が少なくなり、内部抵抗が大きくなるため、電流はあまり流れなくなる。一方、太陽電池１０７が太陽光や照明光の方に向くと、太陽電池１０７の内部にキャリアが発生し、内部抵抗が低下するため電流がリング電極１０２，１０３，１０４を通って人体を流れる。
【００３６】
本実施例では球状の太陽電池１０７は樹脂に埋め込まれて一体成形されているが、もし各々の太陽電池１０７が十分強度をもって連結されているなら、回転ローラ１０１をガラス管と銀リングで一体化して構成し、ガラス管内に太陽電池１０７を配置しても良い。また、太陽電池１０７を斜めに並べて配置することも可能である。この様に配置すれば、リング電極１０２，１０３，１０４から発生する電圧をより高く設定することが可能になる。
【００３７】
また、本実施例では、球状の太陽電池を連結することによって起電力を得ており、非常に美観的に優れていると共に、それぞれの球状太陽電池が小さいことから、連結個数を増加させることが容易であり、身体に電流を導入する際の印加電圧を高くすることが可能である。また、回転ローラ内で連結された太陽電池の配列を工夫することによって、回転ローラ１０１を回転させた際の、電圧変動の周波数を必要に応じて変化させることができ、治癒すべき場所、処方内容によって、効果の最も高い状態に配置を工夫することも容易である。
【００３８】
以上のように、本実施例を利用することによって、外部の電源や電子回路を必要とせず、マイクロアンペアオーダの電流を変動させて身体に導入できるので、医療用として、不調もしくは損傷部位の苦痛や痛みを緩和し、治癒速度を非常に速めることができる。また、美容や美顔に適用するとマッサージ効果だけでなく、皮膚の荒れやたるみ、しみ等の改善が可能になり、健康、医療、美容を問わず非常に幅広くその効果を期待できる。
【実施例２】
【００３９】
図２は、本発明の健康医療用器具の第２番目の実施例であり、（ａ）は外観側面図、（ｂ）は（ａ）のＢＢ断面図である。図２において、回転ローラ２０１は白金製のヘッダー電極２０４と上リング電極２０２、下リング電極２０３が樹脂製の六角棒２０８の表面に固定されている。六角棒２０８は金属を用いても良いが、その場合はそれぞれの電極は絶縁して固定する必要がある。六角棒２０８の表面には直列に接続した１ｃｍ×０．５ｃｍ角の直列配列した太陽電池２０７が六角棒２０８の６面中３面に接着されている。太陽電池はその表面を透明な材料２０９で保護されている。本実施例では透明保護材料２０９はシリコン系樹脂を用いている。太陽電池２０７は陰極と陽極がそれぞれ上リング電極２０２と下リング電極２０３に電気的に接続されており、上リング電極とヘッダー電極２０４は同電位になるように配線されている。
【００４０】
柄は金属柄部２０５と樹脂柄部２０６からできており、金属柄部２０５は下リング電極２０３と導通するように構成されており、上リング電極２０２もしくはヘッダー電極２０４とは絶縁されている。金属柄部２０５と下リング電極２０３との導通は、金属柄部２０５に固定された回転軸２１０と下リング電極２０３と導通しているステンレス製の金属ブッシュ２１１との接触によっているが、より導通を確実に取るためにはＤＣモータで使われる様なスリップリングを用いる方法がある。
【００４１】
金属柄部２０５もしくは樹脂柄部２０６を手で持って、回転ローラ２０１を皮膚表面上に接触させて転がすと、太陽電池の光に対する入射角が変わるため、太陽電池出力が変化し、各電極から皮膚への流れる電流値が変化する。
【００４２】
その電流の流れは、樹脂柄部２０６を手に持って回転ローラ２０１を皮膚に接触させる場合には、上リング電極２０２もしくはヘッダー電極２０４と下リング電極２０３の間で生じる。また一方、手を金属柄部２０５に触れ、下リング２０３を皮膚から浮かせてヘッダー電極２０４もしくは上リング電極２０２のみを皮膚に接触させると、太陽電池２０７にて発生した電流はヘッダー電極２０４もしくは上リング電極２０２に触れている皮膚を介して身体に流れ込み、柄２０５を持つ手から太陽電池に戻る。
【００４３】
本実施例では、上リング電極２０２もしくはヘッダー電極２０４を太陽電池２０７のプラス側電位となるように構成している。これは、細胞が損傷を受けた場合には、細胞膜外の電位がマイナスになることが分かっており、回復させる為には細胞膜外電位をプラスにしてやる必要があるからである。ヘッダー電極２０４もしくは上リング電極２０２をプラスにして損傷した細胞に近づけると、損傷した細胞周囲のマイナスイオンは中和され、より正常に近づいて行く。しかし残念ながら、まだこの極性の問題に関しては全ての症例について十分な検証がなされていないため、症状によって、ヘッダー電極２０４もしくは上リング電極２０２をマイナス側に変更する必要が生じる。しかし、その場合には、太陽電池の配列方向を変えればよいだけであり、この変更は容易である。
【００４４】
本実施例に於いても、その効果はほぼ実施例１と同じであり、皮膚上をローリングマッサージを行うことによって、外部電源や電子回路なしで、電極を皮膚に接触させるだけで微弱電流が身体に導入され、身体の損傷部位を癒すことができる。また、美容に利用すれば肌が若返り、みずみずしくなり、しわ、肌荒れも改善するという効果がある。しかも、本実施例に於いては、電流導入の極性を金属柄部２０５に手を接触させるかどうかで、変化させることができるという機能が加えられている。つまり、下リング電極２０３と金属柄部２０５を導通状態にしたので、金属柄部２０５に手を触れることによって、上リング電極２０２もしくはヘッダー電極２０４から皮膚に一定の極性を持つ電流を流せる様になる。また金属柄部２０５に手を触れることことなく、樹脂柄部２０６のみをもって、回転ローラ２０１を皮膚上で転動させた場合には、上リング電極２０２またはヘッダー電極２０４と下リング電極２０３の間で微弱電流が流れる様にすることができる。そのため、より多様性のある様々な治療に本実施例を用いることができる。
【００４５】
また、実施例１もしくは実施例２においては、太陽電池を回転ローラの偏った位置に設ける例を示したが、場合によって、六角棒２０８の全面に太陽電池を配置したり、フレキシブルなアモルファスシリコン太陽電池を回転ローラの全周囲に設けてもよい。この様な方法を用いれば、ローリングによる電流の変動はなくなるが、周囲環境の変化による電流変動を生じさせることができる。例えば、屋外で本発明を利用する場合などでは、雲による太陽光の変化や、利用者の移動による照度の変化等によって、太陽電池から出力される電流量が変化するので、適度で緩やかな電流変動により、自然と調和した治癒効果も期待できるのである。
【実施例３】
【００４６】
図３は、本発明の健康医療用器具の第３番目の実施例であり、（ａ）は外観側面図、（ｂ）は（ａ）のＣＣ断面図、（ｃ）は（ａ）のＤＤ断面図である。図３において、回転ローラ３０１は、外観的には絶縁物基体３０２と複数の金製のリング電極３０３及びヘッダー電極３０４によって構成されている。このリング電極３０３は図３（ｂ）に示した様に、リード線３１０によって発電機のそれぞれ出力端子と接合される。発電機は、発電機筐体３１１、永久磁石３０５、コイル３０８を巻いたロータ３０７から構成されており、ロータ軸３０６を中心に回転する。ロータ軸３０６は図３（ｃ）に示した様に、柄３０９に固定されており、回転ローラ３０１を皮膚上で転動させると、コイル３０８を巻いたロータ３０７は静止したままで、永久磁石３０５及びそれを固定した発電機筐体３１１が回転ローラ３０１と共にロータ３０７の回りを回転し、コイル３０８に起電力が発生する。
【００４７】
この起電力は内部に接地されたスリップリング（図示せず）に伝えられ、コイル３０８から各リード線３１０を伝わって、各リング電極３０３および、ヘッダー電極３０４から、各電極に接する皮膚に電流が流れる。  リング電極３０３及びヘッダー電極３０４への電圧の向きは任意であるが、本実施例では、ヘッダー電極３０４から各リング電極３０３へ順を追って、プラスマイナスが交互になる様にしている。
また、本実施例での発電機は、永久磁石３０５が発電機筐体３１１に固定されたものを示したが、発電機筐体にコイルが固定され、内部を永久磁石が回転するものを用いてもよく、この場合はスリップリングが必要がないため、より装置が簡単になる。
【００４８】
本実施例では、回転ローラ３０１の回転方向によって、電圧が正負逆転する。それ故、皮膚上で前後に回転ローラ３０１を転動させると、各リング電極間で電流の向きが逆転する。また一方、回転ローラ３０１を同じ場所で繰り返して一方向にのみ回転させると、極性の向きが同じ電流が間欠的に皮膚を流れることになる。
【００４９】
本実施例に於いても、基本的にはその効果は実施例１、実施例２と同じであり、皮膚上をローリングマッサージを行うことによって、外部電源や電子回路なしで、自己発電した微弱電流が身体に導入され、医療面では身体の損傷部位を癒すことができる。また美容面では、肌が若返り、みずみずしくなり、しわ、肌荒れも改善するという効果がある。
【００５０】
ただ、本実施例に於いては、実施例１及び実施例２が太陽電池を用いていたのに対し、内部の発電機によって、微弱電流の皮膚への導入を行っている点が異なっている。本実施例を用いれば、太陽電池を用いた実施例１及び実施例２と異なり、暗闇でも利用が可能である。例えば寝ながら布団の中でも利用が可能であるという特徴がある。
【００５１】
また、本実施例では、回転ローラ３０１の回転方向によって、出力が逆転するという特徴があり、同じ向きの電流もしくは電圧を皮膚に印加したい場合は、一方向に間欠的に繰り返して回転ローラ３０１を回転させ、電流もしくは電圧を逆転させて用いたい場合は、回転ローラ３０１を前後に転動させることによって実現できる。
この様に、本実施例は実施例１及び実施例２にない特徴を持っており、その効果は著しいと考えられる。
【００５２】
以上のように、本発明を実施することによって、非常に簡単な構造で、身体の損傷部位を癒し、美容にも効果がある健康医療用器具を実現できる。しかも本発明は自己発電によって電力を供給し、しかも複雑な電子回路を必要としないため、非常に長寿命であり、長期間に渡って、人を癒す器具となりうるのである。
【産業上の利用可能性】
【００５３】
本発明の健康医療用器具は、美顔や美容に用いることができるだけでなく、骨折や裂傷等の身体の損傷部位を速やかに治療する治療具として利用できる。
【図面の簡単な説明】
【００５４】
【図１】本発明の健康医療用器具の第１番目の実施例であり、（ａ）は外観側面図、（ｂ）は（ａ）のＡＡ断面図である
【図２】本発明の健康医療用器具の第２番目の実施例であり、（ａ）は外観側面図、（ｂ）は（ａ）のＢＢ断面図である。
【図３】本発明の健康医療用器具の第３番目の実施例であり、（ａ）は外観側面図、（ｂ）は（ａ）のＣＣ断面図、（ｃ）は（ａ）のＤＤ断面図である。
【符号の説明】
【００５５】
１０１    回転ローラ
１０２    上リング電極
１０３    中リング電極
１０４    下リング電極
１０５    メタルブッシュ
１０６    軸
１０７    太陽電池
１０８    リード線
１０９    柄
【図１】
0005297070.tif 000002
【図２】
0005297070.tif 000003
【図３】
0005297070.tif 000004